(57)【要約】  低下した摩擦係数を補い、品質や剛性を高め、作業効率の低下を抑えること。  金属板から形成されるデッキプレート（１０）であって、一方の面において、互いに間隔をあけて懸架方向に沿って一端から他端にわたって延在するリブ（１）と、リブ（１）の両端部が一方の面に対して直角方向に潰されたエンドクローズ部（３）と、隣接するリブ（１）間の平坦部（２）に形成された凹凸部（４）と、を備える。
2018207650.tif 000002
【特許請求の範囲】
【請求項１】
金属板から形成されるデッキプレートであって、
一方の面において、互いに間隔をあけて懸架方向に沿って一端から他端にわたって延在するリブと、
前記リブの両端部が前記一方の面に対して直角方向に潰されたエンドクローズ部と、
隣接する前記リブ間の平坦部に形成された凹凸部と、
を備えることを特徴とするデッキプレート。
【請求項２】
前記凹凸部は、前記リブの延在方向に交差する方向に延在していることを特徴とする請求項１に記載のデッキプレート。
【請求項３】
前記凹凸部は、前記リブの延在方向に沿って間隔をあけて複数形成されていることを特徴とする請求項１又は２に記載のデッキプレート。
【請求項４】
隣接する前記リブに挟まれた領域に形成されている前記凹凸部と、この領域に隣接する領域に形成されている前記凹凸部とが千鳥状に配置されていることを特徴とする請求項３に記載のデッキプレート。
【請求項５】
前記凹凸部の長さＬは、Ｌ＝４３ｍｍ〜２６０ｍｍであることを特徴とする請求項４に記載のデッキプレート。
【請求項６】
隣接する領域のうち、一方の領域に形成されている前記凹凸部は、他方の領域に形成された隣接する前記凹凸部の間隔の半分の距離だけ前記リブの延在方向にずらされていることを特徴とする請求項４又は５に記載のデッキプレート。
【請求項７】
隣接する前記凹凸部の間隔Ｇは、Ｇ＝５０ｍｍ〜１００ｍｍであることを特徴とする請求項３〜６までのいずれか一項に記載のデッキプレート。
【請求項８】
一つの前記凹凸部の摩擦係数μは、
μ≧０．０５
であることを特徴とする請求項１〜７までのいずれか一項に記載のデッキプレート。
【請求項９】
前記平坦部表面の滑り抵抗係数Ｃ．Ｓ．Ｒは、
０．４≦Ｃ．Ｓ．Ｒ≦０．９
であることを特徴とする請求項１〜８までのいずれか一項に記載のデッキプレート。
【請求項１０】
一つの前記凹凸部の長さＬは、前記凹凸部を短手側から見た断面積をＡ、前記凹凸部の短手方向に沿って並んだ前記凹凸部の個数をｍ、前記凹凸部の長手方向に沿って並んだ前記凹凸部の個数をｎ、前記凹凸部の前記平坦部表面からの凹凸量をｔとしたときに、
Ｌ＝ｍＡ／ｎｔ
であることを特徴とする請求項１〜９までのいずれか一項に記載のデッキプレート。
【請求項１１】
前記凹凸部の幅Ｂは、Ｂ＝１０ｍｍ〜３０ｍｍであることを特徴とする請求項１〜１０までのいずれか一項に記載のデッキプレート。
【請求項１２】
前記凹凸部の前記平坦部表面からの凹凸量ｔは、ｔ＝１．０ｍｍ〜３．５ｍｍであることを特徴とする請求項１〜１１までのいずれか一項に記載のデッキプレート。
【請求項１３】
請求項１〜１２までのいずれか一項に記載のデッキプレートと、
前記デッキプレートの上面に打設され、固化により前記デッキプレートと一体に形成されたコンクリート層と、
を備えることを特徴とするコンクリート構造体。
【発明の詳細な説明】
【技術分野】
【０００１】
本発明は、建物の床構造体や天井構造体の構築に用いるデッキプレート及びコンクリート構造体に関する。
【背景技術】
【０００２】
建物の床構造体や天井構造体を構築する際の型枠として、デッキプレートが広く用いられている。デッキプレートは、梁間に架け渡されるように設置されており、デッキプレートの両端部が梁の上面に固定されている。デッキプレートを固定した後、デッキプレートの上にはコンクリートが打設され、コンクリートが固化することにより、床構造体または天井構造体が構築される。【０００３】
デッキプレートは、一枚の薄板材（金属板）をロール成形することにより形成されている。デッキプレートには、剛性を高めるためのリブが形成されている（例えば、特許文献１参照）。デッキプレートの上面は平坦であるため、床構造体または天井構造体の下面との境界面（当接面）には抵抗力がない。よって、デッキプレートは、型枠材としてコンクリート固化までの荷重に耐えうる剛性を有するものとして用いられている。デッキプレートはコンクリート固化後、取り外すことが不可能なことが多く、残置されることも多い。【０００４】
一方、デッキプレートの上面に、隣接する位置が相互にずれるように多数の凹凸溝を形成し、打設したコンクリートとの密着性を良くしてコンクリートのひび割れを防止することができるデッキプレートが開示されている（例えば、特許文献２参照）。
また、デッキプレートの平坦部に、隣接する位置が互いにずれるように複数のエンボスを形成したデッキプレートが開示されている（例えば、特許文献３，４参照）。
【先行技術文献】
【特許文献】
【０００５】
【特許文献１】特開平７−２３８６２１号公報
【特許文献２】実開平１−１２２１１１号公報
【特許文献３】特開平７−２６９００３号公報
【特許文献４】特開平８−１００４７６号公報
【発明の概要】
【発明が解決しようとする課題】
【０００６】
ところで、床構造体または天井構造体には、地震荷重のような水平荷重が作用するため、その荷重に耐えうる構造を求められることがあるが、デッキプレートは、コンクリートとの境界に抵抗力を有しないため、残置されていても水平荷重に対して抵抗する機能はほとんどなく、デッキプレートとコンクリートとの境界面の摩擦力は大きなものではない。さらに、デッキプレートは、ロール成形機によって生産されることから、表面にローラの油分が付着していたり、屋外で用いられることから雨水等が付着することによって、本来有しているはずの表面の摩擦係数が低下していることが多い。そのため、デッキプレートとコンクリートとの境界の摩擦力が十分ではないことがある。特許文献２においては、デッキプレートの平坦部に凹凸溝が形成されており、特許文献３，４においては、デッキプレートの平坦部にエンボスが形成されているが、いずれも摩擦係数の低下を補う手法については検討されていない。
また、デッキプレートにおいては、大きな曲げ加工が施されたリブと加工されていない平坦部との応力差により、平坦部に皺が発生し、品質の高いデッキプレートの成形を困難なものとしている。
また、リブ間の平坦部においては、リブ周辺に比べて剛性が不足しているため、打設されたコンクリートの重量や施工時の作業者の歩行によって変形してしまうおそれがある。
また、デッキプレートは金属板から形成されているため、平坦な領域が多いと滑りやすく、さらには光の反射によって作業を阻害し、作業効率が低下するおそれがある。【０００７】
そこで、本発明は、上記課題に鑑みてなされたものであり、低下した摩擦係数を補い、品質や剛性を高め、作業効率の低下を抑えることができるデッキプレートを提供することを目的とする。
【課題を解決するための手段】
【０００８】
上記の課題を解決するため、本発明は、金属板から形成されるデッキプレートであって、一方の面において、互いに間隔をあけて懸架方向に沿って一端から他端にわたって延在するリブと、前記リブの両端部が前記一方の面に対して直角方向に潰されたエンドクローズ部と、隣接する前記リブ間の平坦部に形成された凹凸部と、を備えることを特徴とする。【０００９】
また、前記凹凸部は、前記リブの延在方向に交差する方向に延在していることが好ましい。【００１０】
また、前記凹凸部は、前記リブの延在方向に沿って間隔をあけて複数形成されていることが好ましい。【００１１】
また、隣接する前記リブに挟まれた領域に形成されている前記凹凸部と、この領域に隣接する領域に形成されている前記凹凸部とが千鳥状に配置されていることが好ましい。【００１２】
また、前記凹凸部の長さＬは、Ｌ＝４３ｍｍ〜２６０ｍｍであることが好ましい。【００１３】
また、隣接する領域のうち、一方の領域に形成されている前記凹凸部は、他方の領域に形成された隣接する前記凹凸部の間隔の半分の距離だけ前記リブの延在方向にずらされていることが好ましい。【００１４】
また、隣接する前記凹凸部の間隔Ｇは、Ｇ＝５０ｍｍ〜１００ｍｍであることが好ましい。【００１５】
また、一つの前記凹凸部の摩擦係数μは、μ≧０．０５であることが好ましい。【００１６】
また、前記平坦部表面の滑り抵抗係数Ｃ．Ｓ．Ｒは、０．４≦Ｃ．Ｓ．Ｒ≦０．９であることが好ましい。【００１７】
また、一つの前記凹凸部の長さＬは、前記凹凸部を短手側から見た断面積をＡ、前記凹凸部の短手方向に沿って並んだ前記凹凸部の個数をｍ、前記凹凸部の長手方向に沿って並んだ前記凹凸部の個数をｎ、前記凹凸部の前記平坦部表面からの凹凸量をｔとしたときに、Ｌ＝ｍＡ／ｎｔであることが好ましい。【００１８】
また、前記凹凸部の幅Ｂは、Ｂ＝１０ｍｍ〜３０ｍｍであることが好ましい。【００１９】
また、前記凹凸部の前記平坦部表面からの凹凸量ｔは、ｔ＝１．０ｍｍ〜３．５ｍｍであることが好ましい。【００２０】
本発明は、コンクリート構造体であって、上記のデッキプレートと、前記デッキプレートの上面に打設され、固化により前記デッキプレートと一体に形成されたコンクリート層と、を備えることを特徴とする。
【発明の効果】
【００２１】
本発明によれば、低下した摩擦係数を補い、品質や剛性を高め、作業効率の低下を抑えることができる。
【図面の簡単な説明】
【００２２】
【図１】梁間に設置されたデッキプレートを示す図である。
【図２】デッキプレートの斜視図である。
【図３】デッキプレートの平面図である。
【図４】デッキプレートの正面図である。
【図５】床構造体（または天井構造体）の一部断面図である。
【図６】突条部の摩擦係数を求める際の理論を説明する図である。
【図７】突条部の摩擦係数の具体的な求め方を説明する図である。
【発明を実施するための形態】
【００２３】
本発明の好ましい実施の形態について、図面を参照しながら説明する。なお、以下に示す実施の形態は一例であり、本発明の範囲において、種々の実施の形態をとりうる。
【００２４】
図１は、梁間に設置されたデッキプレートを示す図である。図２は、デッキプレートの斜視図である。図３は、デッキプレートの平面図である。図４は、デッキプレートの正面図である。図５は、床構造体（または天井構造体）の一部断面図である。
図１から図４に示すように、デッキプレート１０は、建築構造物の床構造体または天井構造体を構築する際に打設されるコンクリートの型枠となる。また、図５に示すように、デッキプレート１０は、コンクリートの固化後、コンクリートと一体となって床構造体（または天井構造体）１００の剛性を高めるものである。すなわち、図５に示すように、本実施の形態において、床構造体（または天井構造体）１００は、デッキプレート１０と、このデッキプレート１０の上面に打設され、固化によりデッキプレート１０と一体に形成されたコンクリート層３０と、を備えている。
【００２５】
＜デッキプレートの構成＞
図１に示すように、デッキプレート１０は、対向する梁２０間に架け渡されている。デッキプレート１０は、一端が一方の梁２０に載置され、溶接等によって梁２０に固定されており、他端が他方の梁２０に載置され、溶接等によって梁２０に固定されている。具体的に、梁２０は、例えば、Ｈ形鋼によって構成されており、デッキプレート１０の各端部はそれぞれの梁２０を構成するＨ形鋼のフランジ部に載置され、固定されている。
【００２６】
図２から図４に示すように、デッキプレート１０は、亜鉛メッキ等のメッキ処理が施された薄板状の鋼板（金属板）から形成されている。デッキプレート１０は、一枚の平板状の鋼板をロール成形機によってロール成形することにより製造される。デッキプレート１０は、ロール成形機によって複数の箇所で曲げ加工が施される。
デッキプレート１０は、リブ１と、平坦部２と、エンドクローズ部３と、突条部４（凹凸部）と、を備えている。
【００２７】
リブ１は、鋼板が曲げ加工されることによって形成されている。リブ１は、所定間隔をあけて鋼板の一方の面側に曲げられ、途中で複数回曲げられた後、最初の曲げ位置で鋼板の面方向に沿うように曲げられて構成されている。リブ１は、一部において折り返された鋼板同士がカシメ加工等によって連結されている。これによって、リブ１が開かないようになっている。リブ１は、デッキプレート１０の幅方向（短手方向）に沿って所定の間隔をあけて複数形成されている。リブ１は、デッキプレート１０の長さ方向（長手方向）に沿って延在するように形成されている。すなわち、リブ１は、梁２０への懸架方向に沿って一端から他端にわたって連続して形成されている。
【００２８】
平坦部２は、デッキプレート１０において曲げ加工が施されていない部分である。すなわち、平坦部２は、隣接するリブ１に挟まれた部分である。デッキプレート１０において、各平坦部２は、同一平面上に形成されている。
【００２９】
エンドクローズ部３は、デッキプレート１０の長さ方向（長手方向）の両端部に形成されている。エンドクローズ部３は、リブ１の両端部がデッキプレート１０の面に対して直角方向に潰されることによって形成されている。これにより、リブ１は、両端部のエンドクローズ部３が押し潰された断面に形成されており、エンドクローズ部３に挟まれた他の部分は断面視略三角形状に形成されている。その結果、リブ１の両端部は、他の部分よりも高さが低くなるため、梁２０のフランジ部上面に載置することができる。エンドクローズ部３は、リブ１の延在方向に沿った長さが梁２０のフランジ部上面に載置する長さよりも長くなるように形成されている。
【００３０】
突条部４は、各平坦部２に形成されている。突条部４は、例えば、エンボス加工によって形成されており、デッキプレート１０においてリブ１とは反対側に突出するように形成されている。突条部４は、リブ１の延在方向に直交する方向、すなわち、デッキプレート１０の幅方向（短手方向）に沿って延在している。突条部４は、デッキプレート１０の上面にコンクリートを打設して固化した後、コンクリートに係合していることで水平荷重に対する抵抗力を高めることができる。突条部４について、例えば、長さＬは、Ｌ＝４３ｍｍ〜２６０ｍｍ、幅Ｂは、Ｂ＝１０ｍｍ〜３０ｍｍ、平坦部２の表面からの突出量ｔは、ｔ＝１．０ｍｍ〜３．５ｍｍであることが好ましい。また、デッキプレート１０において、各突条部４を千鳥状に形成した場合における突条部４の長さＬは、突条部４を千鳥状に形成しない場合における突条部の長さＬｓの２倍であることが好ましい。
突条部４は、リブ１の延在方向、すなわち、デッキプレート１０の長さ方向（長手方向）に沿って所定間隔をあけて複数形成されている。ここで、隣接する突条部４の間隔Ｇは、例えば、Ｇ＝５０ｍｍ〜１００ｍｍであることが好ましい。
【００３１】
ここで、突条部４の長さ、幅、平坦部２表面からの突出量は、以下の理論によって定められる。
最初に、突条部４の幅Ｂと平坦部２表面からの突出量ｔについて考える。
図６に示すように、凹凸を有する二つの物体（コンクリートとデッキプレート）が係合している場合において、一方の物体（コンクリート）に水平荷重が作用して他方の物体（デッキプレート）を乗り越えようとするときの摩擦係数μを考える。この場合、クーロンーアモントンの法則により、一方の物体（コンクリート）の垂直荷重をＷ、一方の物体（コンクリート）が他方の物体（デッキプレート）を乗り越える力をＦ、凸部（突条部）の傾斜角をθとすると、摩擦係数μは、以下の式（１）で求めることができる。
μ＝ｔａｎθ  ・・・  （１）
【００３２】
次に、図７に示すように、デッキプレート１０における一つの突条部４を短手側（Ｘ方向）から見た場合について考える。ここでは、近似値として、突条部４の各端部Ｃ，Ｄから短手側の中心（幅の中心）の位置Ｅまでを直線で結び、この直線の平坦部２に対する傾斜角をθとして突条部４の摩擦係数μを考える。この場合、突条部４の幅（短手側の長さ）をＢ、突条部４の平坦部２の表面からの突出量（深さ）をｔとしたときに、以下の式（２）の関係が成立する。
１／２×Ｂ＝ｔ／ｔａｎθ  ・・・  （２）
ここで、式（１）を式（２）に代入すると、摩擦係数μは、以下の式（３）で求めることができる。
μ＝２ｔ／Ｂ  ・・・  （３）
【００３３】
すなわち、デッキプレート１０の表面にロール成形機のローラの油分が付着したり、施工時に雨水等が付着することによって、本来、コンクリートとデッキプレート１０との接触面が有しているはずの摩擦係数（０．６〜０．７５）の低下分を式（３）で算出される摩擦係数μを有する突条部４で補えばよい。また、摩擦係数μの大きさを調節するには、突条部４の幅Ｂと突出量ｔとの比を調整すればよい。具体的には、突出量ｔを大きくし、幅Ｂを小さくすれば、摩擦係数μを大きくすることができる。
例えば、突出量ｔ＝１．０ｍｍ、幅Ｂ＝１０ｍｍで突条部４を形成した場合には、突条部４の摩擦係数μは、μ＝０．２となる。また、突出量ｔ＝１．０ｍｍ、幅Ｂ＝３０ｍｍで突条部４を形成した場合には、突条部４の摩擦係数μは、μ≒０．０６７となる。また、突出量ｔ＝３．５ｍｍ、幅Ｂ＝１０ｍｍで突条部４を形成した場合には、突条部４の摩擦係数μは、μ＝０．７となる。また、突出量ｔ＝３．５ｍｍ、幅Ｂ＝３０ｍｍで突条部４を形成した場合には、突条部４の摩擦係数μは、μ≒０．２３３となる。
なお、摩擦係数μは、０．０５≦μ≦１．６５の範囲内にあることが好ましい。
【００３４】
ここで、摩擦係数μを０．０５≦μ≦１．６５としたのは、摩擦係数μをこの範囲にすることで、「東京工業大学式の滑り試験機ＯＹ−ＰＳＭによる試験（ＪＩＳ  Ａ  １４５４「高分子張り床材試験方法」に規定）」において、滑り抵抗係数Ｃ．Ｓ．Ｒが０．４〜０．９の範囲内に収まり、デッキプレート１０の表面が作業者にとって滑りにくく、安全性に優れたものとなるからである。
【００３５】
表１は、４種類のデッキプレートの表面に水と埃を散布した後に、上記の滑り試験を行い、滑り抵抗係数Ｃ．Ｓ．Ｒを測定した結果を示すものである。試験体１は、突条部が形成されていない平坦な板材であり、板厚は１．２ｍｍである。試験体２は、突条部の長さが１２０ｍｍ、幅が１５ｍｍ、突出量が１．５ｍｍ、長手方向に隣接する突条部の間隔が８０ｍｍであり、板厚は０．８ｍｍである。試験体３は、突条部の長さが１２０ｍｍ、幅が１５ｍｍ、突出量が３ｍｍ、長手方向に隣接する突条部の間隔が５０ｍｍであり、板厚は１．６ｍｍである。試験体４は、突条部の長さが１２０ｍｍ、幅が１５ｍｍ、突出量が３ｍｍ、長手方向に隣接する突条部の間隔が５０ｍｍであり、板厚は１．２ｍｍである。滑り試験は、試験体１〜４毎にデッキプレートの長手方向及び短手方向に沿って行い、それぞれの場合の滑り抵抗係数Ｃ．Ｓ．Ｒを測定した。
【００３６】
【表１】
2018207650.tif 000003
【００３７】
ここで、例えば、コンクリートとデッキプレートの接触面の摩擦係数μを０．６とし、雨水や油分の付着により、摩擦係数μが０．２低下してしまう場合、表１の試験体２のデッキプレート１０のように、突出量ｔ＝１．５ｍｍ、幅Ｂ＝１５ｍｍの突条部４を形成することにより、摩擦係数μを０．２高めることができるので、コンクリートとデッキプレート１０の接触面の摩擦係数μはμ＝０．６（元々の接触面の摩擦係数）−０．２（雨水等による摩擦係数の低下分）＋０．２（突条部の形成による摩擦係数の増加分）＝０．６となり、雨水等による摩擦係数の低下分を突条部４の形成で補うことができる。また、滑り抵抗係数Ｃ．Ｓ．Ｒも０．４〜０．４２となり、滑り抵抗係数Ｃ．Ｓ．Ｒを０．４〜０．９の範囲内に収めることができる。
【００３８】
また、コンクリートとデッキプレートの接触面の摩擦係数μを０．６とし、雨水や油分の付着により、摩擦係数μが０．４低下してしまう場合、表１の試験体３，４のデッキプレート１０のように、突出量ｔ＝３ｍｍ、幅Ｂ＝１５ｍｍの突条部４を形成することにより、摩擦係数μを０．４高めることができるので、コンクリートとデッキプレート１０の接触面の摩擦係数μはμ＝０．６（元々の接触面の摩擦係数）−０．４（雨水等による摩擦係数の低下分）＋０．４（突条部の形成による摩擦係数の増加分）＝０．６となり、雨水等による摩擦係数の低下分を突条部４の形成で補うことができる。また、滑り抵抗係数Ｃ．Ｓ．Ｒも０．４〜０．４４となり、滑り抵抗係数Ｃ．Ｓ．Ｒを０．４〜０．９の範囲内に収めることができる。
【００３９】
次に、突条部４の長さＬについて考える。突条部４の長さは、デッキプレート１０における一つの突条部４を長手側（Ｙ方向）から見ることによって考えることができる。水平荷重に抵抗する要素は、突条部４の断面投影面積と考えられるため、Ｘ方向とＹ方向の断面投影面積を近似させる必要がある。
この場合、一つの突条部４の長手方向の長さＬは、突条部４を短手側から見た断面投影面積をＡ、突条部４の短手方向に沿って並んだ突条部４の個数（行の数）をｍ、突条部４の長手方向に沿って並んだ突条部４の個数（列の数）をｎ、突条部４の平坦部２の表面からの突出量をｔとしたときに、以下の式（４）で求めることができる。
Ｌ＝ｍＡ／ｎｔ  ・・・  （４）
例えば、突出量ｔ＝１．０ｍｍ、幅Ｂ＝１０ｍｍで突条部４を形成した場合には、突条部４の断面投影面積Ａは、Ａ≒１０ｍｍ２となり、突条部４の短手方向に沿って並んだ突条部４の個数（行の数）ｍ＝２６個、突条部４の長手方向に沿って並んだ突条部４の個数（列の数）ｎ＝３個とすると、一つの突条部４の長さＬは、Ｌ≒８６．７ｍｍとなる。
以上のように考えることで、デッキプレート１０に求める摩擦係数μに応じて、突条部４の長さＬ、幅Ｂ、突出量ｔを設計することができる。
【００４０】
各平坦部２に形成されている突条部４は、一の平坦部２に形成されている突条部４と、一の平坦部２に隣接する平坦部２に形成されている突条部４とが、デッキプレート１０を平面視した際に、千鳥状に配置されている。より具体的には、隣接する平坦部２のうち、一方の平坦部２に形成されている突条部４は、他方の平坦部２に形成された隣接する突条部４の間隔Ｇの半分の距離だけリブ１の延在方向にずらされて形成されている。
【００４１】
以上のように、デッキプレート１０は、平坦部２に突条部４が形成されているので、デッキプレート１０の表面にロール成形機のローラの油分が付着したり、雨水等が付着することによって、本来有しているはずの表面の摩擦係数が低下している場合であっても、摩擦係数の低下分を突条部４の摩擦係数によってデッキプレート１０の摩擦係数を高めることができる。これにより、コンクリートとデッキプレート１０との摩擦力を高めて、床構造体または天井構造体としてより一体化させることができ、地震等によって作用する水平荷重に対して抵抗する機能を高めることができる。特に、上記のような構成の突条部４を平坦部３に形成することにより、工数や重量の増加を最小限に抑えつつ、効果的にコンクリートとデッキプレート１０との摩擦力を高めることができる。
【００４２】
また、突条部４を上記のように構成することにより、「東京工業大学式の滑り試験機ＯＹ−ＰＳＭによる試験（ＪＩＳ  Ａ  １４５４「高分子張り床材試験方法」に規定）」において、滑り抵抗係数Ｃ．Ｓ．Ｒを０．４〜０．９の範囲内にすることができ、作業時の防滑性向上はもちろんのこと、その滑り抵抗がデッキプレート１０の摩擦係数を大きく向上させることができる。これにより、かかる摩擦係数の向上分が油分や雨水による摩擦係数の低下分を補い、コンクリートとデッキプレート１０との摩擦力を高めて、床構造体または天井構造体としてより一体化させることができ、地震等によって作用する水平荷重に対して抵抗する機能を高めることができる。
【００４３】
また、突条部４を形成することにより、曲げの大きなリブ１周辺と曲げ加工されていない平坦部２との応力差による皺の発生を抑えることができ、製造されるデッキプレート１０の品質を高めることができる。また、突条部４を形成することにより、デッキプレート１０の皺の発生を抑えることができるので、ロール成形工程を従来よりも簡単なものとすることができる。
また、突条部４を形成することにより、リブ１間の平坦部２の剛性を高めることができ、打設されたコンクリートの重量や施工時の作業者の歩行による平坦部２の変形を抑えることができる。
【００４４】
また、突条部４を形成することにより、平坦部２から突出している突条部４がデッキプレート１０上を歩行する作業者のスリップを防止する滑り止め部材として機能するので、作業効率の低下を抑えることができる。特に、デッキプレート１０の平坦部３表面の滑り抵抗係数Ｃ．Ｓ．Ｒを、滑り評価尺度が安全となる０．４〜０．９の範囲内にすることで、デッキプレート１０を作業床として考慮した場合に、防滑性に優れたデッキプレート１０とすることができる。
また、突条部４を形成することにより、平坦部２から突出している突条部４が光を乱反射させるので、作業者への防眩効果を高めることができる。さらに、夏場の日光の照り返しを抑えることができるので、作業者への負担を軽減することができ、作業効率の低下を抑えることができる。
【００４５】
また、突条部４が千鳥状に配置されるように形成することで、平坦部２の全面にわたって突条部４を形成することができ、上記の効果をより高めることができる。特に、デッキプレート１０の幅方向に隣接する突条部４を、デッキプレート１０の長さ方向に隣接する突条部４の間隔の半分の距離だけずらすことで、周囲の突条部４間の距離をほぼ均等に保つことができ、上記の効果をより高めることができる。
また、上記の式（４）に示すように、あらゆる方向からの水平荷重に抵抗するため、突条部４の断面投影面積をデッキプレート１０のＸ方向とＹ方向とで等しくなるように突条部４が設計されているが、突条部４を千鳥状に配置することで、Ｘ方向から見た時の突条部４同士の重なりを減らすことができる。よって、少ない数で断面投影面積を増やすことができ、デッキプレート１０に形成すべき突条部４の数を減らすことができるので、デッキプレート１０の生産に必要な金属板の量を減らすことができ、軽量化を図ることができる。
また、隣接する突条部４の間隔Ｇを、Ｇ＝５０ｍｍ〜１００ｍｍ、突条部４の長さＬを、Ｌ＝４３ｍｍ〜２６０ｍｍ、突条部４の幅Ｂを、Ｂ＝１０ｍｍ〜３０ｍｍ、突条部４の平坦部２からの突出量ｔを、ｔ＝１．０ｍｍ〜３．５ｍｍの範囲内で形成することで、上記の効果をより高めるのに適した突条部４とすることができる。
【００４６】
また、デッキプレート１０は、金属板から形成されているので、下方からの支持が不要となり、下方の空間を有効に利用できる。また、デッキプレート１０は、両端部にエンドクローズ部３を有しているので、梁２０の上面に載置することができる。また、デッキプレート１０と梁２０の型枠との間にコンクリートの漏れを防ぐ部材を設ける必要がなくなる。ＲＣ造の場合、梁２０にエンドクローズ部３の一部を食い込ませることができるので、デッキプレート１０の脱落防止効果を高めることができる。
また、デッキプレート１０にコンクリートを打設した際、突条部４がコンクリートに食い込んだ状態で固化するので、突条部４は、コンクリートとの係合部として機能することとなり、床構造体や天井構造体の剛性を高めることができる。
また、突条部４は、デッキプレート１０の長手方向に延在しているとともに、デッキプレート１０の短手方向に沿って複数形成されているので、デッキプレート１０の長さ方向及び幅方向においてコンクリートが突条部４に係合されて床構造体または天井構造体の剛性を高めることができる。
【００４７】
＜その他＞
なお、本発明は、上記実施の形態に限られるものではない。例えば、凹凸部としての突条部４は、リブ１とは反対側の面に突出する場合に限らず、リブ１と同じ方向に突出するように形成してもよい。この場合、リブ１とは反対側の面から見れば、平坦部２に溝が形成されていることになる。また、突条部４の形成にあたっては、エンボス加工に限らず、他の加工方法を用いてもよい。また、凹凸部は、平坦部２に凹凸が形成されていればよいので、突条部４に限らず、複数の円形状の突起又は凹部を形成してもよい。この場合、ロール成形後にショットブラスト加工を施すことによって形成してもよいし、ロール成形時に型押しで形成してもよい。なお、これらの突起又は凹部と突条部４との両方を形成してもよい。さらに、平坦部２に筋状の傷を形成して、デッキプレート１０の表面粗さを大きくして、光をより乱反射させて防眩効果を高めてもよい。
また、上記の実施の形態においては、打設したコンクリートの固化後に、デッキプレートを残置し、デッキプレートを床構造体又は天井構造体の補強材として用いているが、必ずしも残置する必要はなく、コンクリートの固化後にデッキプレートを取り外してもよい。すなわち、デッキプレートを単なる型枠としてのみ用いてもよい。
【符号の説明】
【００４８】
１  リブ
２  平坦部
３  エンドクローズ部
４  突条部（凹凸部）
１０  デッキプレート
２０  梁
３０  コンクリート層
１００  床構造体（天井構造体）
【図１】
2018207650.tif 000004
【図２】
2018207650.tif 000005
【図３】
2018207650.tif 000006
【図４】
2018207650.tif 000007
【図５】
2018207650.tif 000008
【図６】
2018207650.tif 000009
【図７】
2018207650.tif 000010
【国際調査報告】
2018207650.tif 000011
2018207650.tif 000012
2018207650.tif 000013
2018207650.tif 000014